(57)【特許請求の範囲】
【請求項１】
ＡＴＭ交換装置であって、
複数の入力ポートと、複数の出力ポートと、複数の多重化ユニットとが設けられており、
該複数の多重化ユニットは、該入力ポートと該出力ポートとの間でＡＴＭセルの伝送を行うのに使用される形式のものにおいて、
該多重化ユニットのうち少なくとも１つに、サーバ統計的多重化ユニットが設けられており、
前記サーバ統計的多重化ユニットは、バッファおよびフロー制御部を有する入力ポートと出力ポートとバッファおよびフロー制御部を有さない入力ポートと出力ポートとの間のフローを制御するためのフロー制御装置を備えていることを特徴とするＡＴＭ交換装置。
【請求項２】
複数のリンク間で通信を提供するのに使用され、
前記リンクのうち少なくとも１つは、バッファリングおよびフロー制御を行うための統計的多重化ユニットを含んでおり、
該ＡＴＭ交換装置は、少なくとも１つのサーバＳＭＵと動作上関連づけられており、それによって、バッファおよびフロー制御部を有するリンクとバッファおよびフロー制御部を有さないリンクとの間でＡＴＭセルを伝送するのに使用される、請求項第１項記載のＡＴＭ交換装置。
【請求項３】
該ＡＴＭ交換装置は、複数のトランクリンクと複数のカスタマーリンクの間での通信を提供するのに使用され、
少なくとも１つのトランクリンクがバッファリングおよびフロー制御を実現する統計的多重化ユニットを含み、および／または、ここにおいて少なくとも１つのカスタマーリンクがバッファおよびフロー制御部を含む統計的多重化ユニットを含み、
該ＡＴＭ交換装置が少なくとも１つのサーバーＳＭＵと動作的に関連し、それが動作的に関連しているバッファおよびフロー制御部を持つトランクリンクと、動作的に関連しているバッファおよびフロー制御部を持たないカスタマーリンクとの間でのＡＴＭセルの伝送を容易にするような、請求項第２項に記載のＡＴＭ交換装置。
【発明の詳細な説明】
【０００１】
【産業上の利用分野】
本発明は、非同期転送モード（ＡＴＭ）交換装置に関する。
【０００２】
【従来の技術】
最初に、いくつかの技術的背景を考慮すると、ＡＴＭネットワークおよび交換機は、バースト的なトラフィックを含むトラフィックの混合をサポートするよう要求されている。その性質から、バースト的なトラフィックは、ある時間の部分においては高いビットレートを必要とするが、その残余時間に関しては、ほとんどまたは全くビットレートを必要としない。ネットワーク内において使用されるビットレートを有効に活用するために、すべての接続の合計ピークビットレートがネットワークリンクのビットレートよりも大きくなるように、そのピークビットレートよりも低いビットレートを接続に割り当てることが必要である。
【０００３】
特定の出力ポートに予定されているＡＴＭセルは、多くの異なる入力ポートから交換機に入る。それらの総合的な瞬間ＡＴＭセルフローレートは、ＡＴＭ交換ネットワーク（ＡＳＮ）が耐えることができる出力ポートレートよりも大きいことがあり、その結果、出力ポートの一時的なオーバーロードが生じることがある。このオーバーロードの可能性は、出力ポート平均ロードを動作上許容できるレベルにまで減少させることによって、減少させることができるが、ネットワークの低利用状況を伴うこの結果は常に許容できるものとは限らない。別のアプローチにおいては、同出願人による同時係属中の特許出願第ＧＢ９４０５７００．７号に説明されているとおり、大きなフロー制御されるバッファがＡＴＭスイッチ内に設けられる。これによって遅延が行われ、伝送がリンクレートで行われる。
【０００４】
すぐ前に言及されたように、そして同出願人による同時係属中の特許出願第ＧＢ９４０５７００．７号の主題を形成する本発明は、コアＡＴＭ交換機の入力部および出力部にバッファが設けられた、そしてフロー制御がそれらバッファの間で伝送されるセルを管理するために使用されている装置に関係している。また、同出願人による別の同時係属中の特許出願である第ＧＢ９２１２４４７．８号、第ＧＢ９３２２７４４．５号、第ＧＢ９３０９４６８．８号および第ＧＢ９４０５７０４．９号も参照されたい。これらには、有用な背景情報が記載されている。
【０００５】
同出願人による同時係属中の特許出願第ＧＢ９４０５７００．７号に説明されているように、交換機のすべての部分を働かせるようなバッファおよびフロー制御の使用を意図している装置は、動作的に満足すべきものであり、そして大量のバースト的なトラフィックが存在するときには正当となりうるものであるが、バースト的なデータトラフィックの量が少ない時には、各入力および各出力におけるフロー制御バッファ使用のコストは許容できないほど大きい。
【０００６】
【発明の目的】
従って、バースト的なデータトラフィックの量が比較的小さいような状況においてコスト的に有利な装置を提供することが、本発明の目的である。
【０００７】
【発明の構成】
本発明ではＡＴＭ交換装置は、少なくとも１つのサーバー統計的多重化ユニット（サーバーＳＭＵ）を含んでいる。このサーバー統計的多重化ユニットは、バッファおよびフロー制御を有する入力ポートおよび出力ポートと、バッファおよびフロー制御を有しない入力ポートおよび出力ポートとの間でＡＴＭセルの伝送を行うためのものである。
【０００８】
該ＡＴＭ交換装置は、複数のリンク間にて通信を提供するのに使用することができる。この複数のリンクのうち少なくとも１つは、統計的多重化ユニットを有する。該ＡＴＭ交換装置は、バッファおよびフロー制御部を有するリンクとバッファおよびフロー制御部を有しないリンクとの間でＡＴＭセルの伝送を行うための少なくとも１つのサーバーＳＭＵに動作的に関連している。
【０００９】
本発明の１つの実施例においては、ＡＴＭ交換装置は、複数のトランクリンクおよび複数のカスタマーリンクの間に通信を提供するのに用いられる。ここでは
、少なくとも１つのトランクリンクはバッファリングおよびフロー制御を実現する統計的多重化ユニットを含み、および／または、少なくとも１つのカスタマーリンクはバッファリングおよびフロー制御を含む統計的多重化ユニットを含み、前記交換装置は、少なくとも１つのサーバーＳＭＵに動作的に関連していて、それによってバッファとフロー制御部を持つトランクリンクとバッファとフロー制御部を持たないカスタマーリンクとの間のＡＴＭセルの伝送が容易になる。
【００１０】
【実施例】
本発明の１つの実施例は、添付図面を参照しながら、単なる例として説明される。
【００１１】
ここで図１を参照すると、装置は、ＡＴＭ交換ネットワーク３を経由する、トランクリンク１とカスタマーリンク２の間のＡＴＭセルの伝送に関して示されている。本発明においては、トランクリンク１は、バッファリング装置およびフロー制御装置を含む２つの周辺スイッチグループ（ＰＳＧ)４および５、そしてそのようなバッファリング装置およびフロー制御装置を含まない１つの周辺多重化グループ（ＰＭＧ）６を含んでいる。他方カスタマーリンク２は、バッファリング装置とフロー制御装置を有する１つのＰＳＧ７、およびそのようなバッファリング装置およびフロー制御装置を有さない２つのＰＭＧ８および９を含んでいる。図１から理解されるように、ＰＳＧ４，５および７は類似しており、ラインカード１０、マルチプレクサ１１および、バッファリング装置１２ａと１２ｂおよびフロー制御装置１２ｃとを持つ統計的多重化ユニット１２とを含んでいる。
【００１２】
他方、ＰＭＧ６、８および９は、マルチプレクサ１３および、バッファリング装置およびフロー制御装置を含む統計的多重化ユニット１２ａに相応するユニットを持たないラインカード１４のみを含んでいる。
【００１３】
バッファリング部およびフロー制御部を持つＰＳＧ４、５および７と、バッファリングとフロー制御を持たないＰＳＧ６、８および９との間での伝達を容易にするために、サーバー統計的多重化ユニット（サーバーＳＭＵ)１５、１６が備えられ、それらは各々統計的多重化ユニット１５ａと１６ａ、そして各々フロー制御装置１５ｂと１６ｂを含んでいる。装置の動作においては、バッファリング部およびフロー制御部を持つＰＳＧとバッファリング部およびフロー制御部を持たないＰＭＧの間での伝達が必要とされる時、ＡＴＭセルは、サーバーＳＭＵ１５または１６のうち一方または他方を経由して送られる。
【００１４】
サーバーＳＭＵを経由して、トランクリンク１からカスタマーリンク２までＡＴＭセルトラフィックがとるルートが、図２に示されている。ここにおいて、図１に相応する部分は同様のアルファベットか数字で指示されている。図２から、ラインカード１０からのＡＴＭセルは、ＳＭＵ４とＡＳＮ３を経由してサーバー１５に伝送され、そして次にＡＳＮ３を通してＭＵＸ１３およびラインカード１４に戻るのが理解できる。
【００１５】
ここで図３を参照すると、反対方向におけるカスタマーリンク２からトランクリンク１へのトラフィックが示されている。図２および図３から、トランクリンク１からカスタマーリンク２への伝送に関しては、フロー制御は、ユニット３、４、および１５の間で行われ、一方カスタマーリンク２からトランクリンク１への反対方向における伝送に関しては、フロー制御は、ユニット１５、３そして１２の間で行われ、いずれの場合でも、伝送路のほかの部分上でピークビットレートの確保が行われる、ということが分かる。
【００１６】
本発明の重要な利点は、該装置によって、すべてのＰＳＧ内にＳＭＵが使用されていないとしても、トランクライン１を用いてフロー制御された統計的ゲインを最大化できるということである。
【００１７】
ＭＵＸまたはＬＣコンポーネントが、大きなバッファなしで加えられたフロー制御を有することができないのは、図３において示されているが、例えば、ＡＳＮ３とＳＭＵ１２との間のポイント（ａ）は、それが操作できるよりもさらに広い帯域幅を瞬間的に受信する可能性があるからだ。しかしながら、サーバーＳＭＵを使用して、このオーバーロードの帯域を受け入れて、その後に出力を修正するためにトラフィックを再ルートすることができる。
【００１８】
様々な変更が、本発明の範囲から逸れることなく、示された装置に対して行うことができる。例えばどのような数のトランクまたはカスタマーリンクでも設けることができ、それをＡＴＭ交換ネットワークを横切る相互通信において備え、そしていくつかの用途に関しては、トランクリンクは他のトランクリンクと結合することもでき、またはカスタマーリンクは、本発明による装置を使用して相互接続されることもできる。
【００１９】
【発明の効果】
バースト的なデータトラフィックの量が比較的小さい状況において、コスト的に有利な装置が提供できる。
【図面の簡単な説明】
【図１】  一般のＡＴＭ交換ネットワーク装置の回路のブロック図。
【図２】  一方向におけるトランクリンクからカスタマーリンクへのＡＴＭセルトラフィックのルートを示した概略図。
【図３】  反対方向におけるカスタマーリンクからトランクリンクへのＡＴＭトラフィックのルートを示した概略図。
【符号の説明】
１    トランクリンク
２    カスタマーリンク
３    ＡＴＭ交換ネットワーク
４，５    周辺スイッチグループ
６    周辺多重化グループ
７    ＰＳＧ
８．９    ＰＭＧ
１０    ラインカード
１１    マルチプレクサ
１２    統計的多重化ユニット
１３    マルチプレクサ
１４    ラインカード
１５．１６    サーバー統計的多重化ユニット
【図１】
0003668277.tif 000002
【図２】
0003668277.tif 000003
【図３】
0003668277.tif 000004